(57)【要約】【課題】放熱性能に優れ、小型で低価格であると共に、ＡＣ電源ラインに注入したノイズでＬＥＤが誤点灯しないようにしたＬＥＤ照明器具とする。【解決手段】アルミベース基板１の表面にＬＥＤ２、ＡＣ電源ラインに注入されたノイズを留めておく同一の静電容量の第１・第２コンデンサ１１，１２を設け、前記アルミベース基板１の裏面を、電気絶縁性及び熱伝導性に優れた絶縁放熱シート４を介して接地された機器本体に取り付けることで、ＬＥＤ２から発生する熱を機器本体から放熱して放熱性能に優れ、小型で低価格にでき、前記第１・第２コンデンサ１１，１２を導通手段３０でアルミベース基板１の裏面に電気的に導通してＡＣ電源ラインに注入されたノイズでＬＥＤ２が誤点灯しないようにしたＬＥＤ照明器具。【選択図】図３
2012146406.tif 000002
【特許請求の範囲】
【請求項１】
アルミベース基板１の表面にＬＥＤ２を設け、そのアルミベース基板１の裏面を、電気的に絶縁し熱が伝わるように機器本体に取り付けるようにしたＬＥＤ照明部３を備え、このＬＥＤ２をＡＣ電源に接続して点灯するＬＥＤ照明回路であって、
前記ＬＥＤ２に接続したＡＣ電源ライン５，６に注入されたノイズを留めておくコンデンサを有し、このコンデンサを、前記アルミベース基板１の裏面側に電気的に接続したことを特徴とするＬＥＤ照明回路。
【請求項２】
前記ＬＥＤ２に２つのＡＣ電源ライン５，６を接続し、
一方のＡＣ電源ライン５に第１コンデンサ１１の一端を接続すると共に、他方のＡＣ電源ライン６に、前記第１コンデンサ１１と同一の静電容量の第２コンデンサ１２の一端を接続してＡＣ電源ライン５，６に注入されたノイズを第１・第２コンデンサ１１，１２で留めておくようにし、
前記第１コンデンサ１１の他端と第２コンデンサ１２の他端を、前記アルミベース基板１の裏面側に電気的にそれぞれ接続した請求項１記載のＬＥＤ照明回路。
【請求項３】
前記第１コンデンサ１１の他端と第２コンデンサ１２の他端を接続ライン１３で接続し、この接続ライン１３を導通ライン１４でアルミベース基板１の裏面側に電気的に接続した請求項２記載のＬＥＤ照明回路。
【請求項４】
前記２つのＡＣ電源ライン５，６間に、バリスタ７とコンデンサ８を接続した請求項３記載のＬＥＤ照明回路。
【請求項５】
前記アルミベース基板１の裏面を、絶縁放熱シート４を介して機器本体に接して取り付けるようにした請求項１〜４いずれか１項記載のＬＥＤ照明回路。
【請求項６】
アルミベース基板１の表面にＬＥＤ２、同一の静電容量の第１コンデンサ１１、第２コンデンサ１２を有し、該アルミベース基板１の裏面を、電気絶縁性及び熱伝導性に優れた部材を介して接地された機器本体に取り付けるようにしたＬＥＤ照明器具であって、
前記アルミベース基板１の表面側と裏面側とを電気的に導通して電位差が生じないようにしたことを特徴とするＬＥＤ照明器具。
【請求項７】
前記ＬＥＤ２の一端と第１コンデンサ１１の一端が電気的に導通すると共に、該ＬＥＤ２の他端と第２コンデンサ１２の一端が電気的に導通するようにし、
前記第１コンデンサ１１の他端と第２コンデンサ１２の他端とを、アルミベース基板１の裏面側に電気的に導通した請求項６記載のＬＥＤ照明器具。
【請求項８】
アルミベース２０の表面に絶縁層２１を設け、この絶縁層２１の上に電源パターン２２を設けてアルミベース基板１とし、この電源パターン２２でＬＥＤ２、第１・第２コンデンサ１１，１２を電気的に導通し、
前記アルミベース２０の裏面に絶縁放熱シート４を設け、
前記第１コンデンサ１１の他端と第２コンデンサ１２の他端を電気的に導通する電源パターン２２と、前記アルミベース２０を導通手段３０で電気的に導通した請求項７記載のＬＥＤ照明器具。
【請求項９】
前記ＬＥＤ２を、絶縁層２１に銅プレート２ｃを介在して設けた請求項８記載のＬＥＤ照明器具。
【発明の詳細な説明】
【技術分野】
【０００１】
本発明は、ＬＥＤをＡＣ電源で点灯するＬＥＤ照明回路及びＬＥＤ照明器具に関する。
【背景技術】
【０００２】
従来、ＬＥＤを光源としたＬＥＤ照明器具においては、ＬＥＤの寿命は高温状態になると著しく短くなるから、ＬＥＤから発生する熱の放熱性能を向上することが重要である。
電球形ＬＥＤ照明器具においては、ＬＥＤをアルミベース基板の表面に設け、このアルミベース基板の裏面をアルミのヒートシンク（照明器具の外皮）に接触し、ＬＥＤから発生する熱をアルミのヒートシンクに伝えて冷却するようにしている（特許文献１参照）。
【先行技術文献】
【特許文献】
【０００３】
【特許文献１】実用新案登録第３１６４４６７号公報
【発明の概要】
【発明が解決しようとする課題】
【０００４】
前述した従来の電球形ＬＥＤ照明器具は、ＬＥＤから発生する熱を、照明器具の外皮となるアルミのヒートシンクから放熱するので、そのアルミのヒートシンクは大きな放熱面積を必要とするから、アルミのヒートシンクが大きく、照明器具全体が大型で、高価格である。
一方、レンジフードにおいては、フード本体に照明器具を取り付けることがあるが、そのフード本体の照明器具の取り付けスペースや、価格の点などから、前述の電球形ＬＥＤ照明器具をフード本体に取り付けし難いことがある。
【０００５】
本発明者等は、ＬＥＤから発生する熱の放熱性能に優れていると共に、小型で低価格とすることができるＬＥＤ照明回路及びＬＥＤ照明器具とするために鋭意、研究、実験した結果、次のことを見出した。
すなわち、レンジフードのフード本体は金属製で、広い面積が空気と触れているので、広い放熱面積を有していることに着目し、ＬＥＤを設けたアルミベース基板をフード本体に取り付け、ＬＥＤから発生する熱をフード本体から放熱するようにした。
このようにすることで、従来のように大きなヒートシンクが不要であるから、小型で、低価格であると共に、放熱性能に優れているＬＥＤ照明器具とすることができた。
【０００６】
しかしながら、前述のようにした場合に、ＬＥＤが点灯したり、うっすら点灯する等の誤点灯するという問題が生じた。
この原因としては、フード本体が接地（アース）しているので、ＡＣ電源ラインからノイズ（漏えい電流）が注入されると、そのノイズが、アルミベース基板からフード本体に流れ、このノイズ（漏えい電流）がＬＥＤに流れるために、ＬＥＤが前述のように誤点灯すると考えられる。
特に、ＡＣ電源からＡＣ１００ＶをＬＥＤに直接流すことで、ＬＥＤを点灯するようにした場合には、前述のＬＥＤの誤点灯が顕著に現れた。
【０００７】
前述した従来の電球形ＬＥＤ照明器具は、アルミのヒートシンクが機器本体と電気的に絶縁され、接地されないので、ＡＣ電源ラインにノイズ（漏えい電流）が注入されてもアースに流れないので、ＬＥＤにこのノイズが流れないから、誤点灯することがなかった。
【０００８】
本発明の目的は、ＬＥＤから発生する熱の放熱性能に優れていると共に、小型で低価格とすることができ、しかもＡＣ電源ラインに注入されたノイズによってＬＥＤが誤点灯することがないようにしたＬＥＤ照明回路及びＬＥＤ照明器具とすることである。
【課題を解決するための手段】
【０００９】
本発明のＬＥＤ照明回路は、アルミベース基板１の表面にＬＥＤ２を設け、そのアルミベース基板１の裏面を、電気的に絶縁し熱が伝わるように機器本体に取り付けるようにしたＬＥＤ照明部３を備え、このＬＥＤ２をＡＣ電源に接続して点灯するＬＥＤ照明回路であって、
前記ＬＥＤ２に接続したＡＣ電源ライン５，６に注入されたノイズを留めておくコンデンサを有し、このコンデンサを、前記アルミベース基板１の裏面側に電気的に接続したことを特徴とするＬＥＤ照明回路である。
【００１０】
本発明のＬＥＤ照明回路は、前記ＬＥＤ２に２つのＡＣ電源ライン５，６を接続し、
一方のＡＣ電源ライン５に第１コンデンサ１１の一端を接続すると共に、他方のＡＣ電源ライン６に、前記第１コンデンサ１１と同一の静電容量の第２コンデンサ１２の一端を接続してＡＣ電源ライン５，６に注入されたノイズを第１・第２コンデンサ１１，１２で留めておくようにし、
前記第１コンデンサ１１の他端と第２コンデンサ１２の他端を、前記アルミベース基板１の裏面側に電気的にそれぞれ接続することができる。
このようにすれば、２つのＡＣ電源ライン５，６に注入されたノイズを、第１・第２コンデンサ１１，１２で留めておくことができる。
【００１１】
本発明のＬＥＤ照明回路は、前記第１コンデンサ１１の他端と第２コンデンサ１２の他端を接続ライン１３で接続し、この接続ライン１３を導通ライン１４でアルミベース基板１の裏面側に電気的に接続することができる。
【００１２】
本発明のＬＥＤ照明回路は、前記２つのＡＣ電源ライン５，６間に、バリスタ７とコンデンサ８を接続することができる。
【００１３】
本発明のＬＥＤ照明回路は、前記アルミベース基板１の裏面を、絶縁放熱シート４を介して機器本体に接して取り付けることができる。
【００１４】
本発明のＬＥＤ照明器具は、アルミベース基板１の表面にＬＥＤ２、同一の静電容量の第１コンデンサ１１、第２コンデンサ１２を有し、該アルミベース基板１の裏面を、電気絶縁性及び熱伝導性に優れた部材を介して接地された機器本体に取り付けるようにしたＬＥＤ照明器具であって、
前記アルミベース基板１の表面側と裏面側とを電気的に導通して電位差が生じないようにしたことを特徴とするＬＥＤ照明器具である。
【００１５】
本発明のＬＥＤ照明器具は、前記ＬＥＤ２の一端と第１コンデンサ１１の一端が電気的に導通すると共に、該ＬＥＤ２の他端と第２コンデンサ１２の一端が電気的に導通するようにし、
前記第１コンデンサ１１の他端と第２コンデンサ１２の他端とを、アルミベース基板１の裏面側に電気的に導通することができる。
【００１６】
本発明のＬＥＤ照明器具は、アルミベース２０の表面に絶縁層２１を設け、この絶縁層２１の上に電源パターン２２を設けてアルミベース基板１とし、この電源パターン２２でＬＥＤ２、第１・第２コンデンサ１１，１２を電気的に導通し、
前記アルミベース２０の裏面に絶縁放熱シート４を設け、
前記第１コンデンサ１１の他端と第２コンデンサ１２の他端を電気的に導通する電源パターン２２と、前記アルミベース２０を導通手段３０で電気的に導通することができる。
【００１７】
本発明のＬＥＤ照明器具は、前記ＬＥＤ２を、絶縁層２１に銅プレート２ｃを介在して設けることができる。
【発明の効果】
【００１８】
本発明によれば、ＬＥＤ２から発生する熱を機器本体から放熱できるから、ＬＥＤ２から発生する熱の放熱機能に優れている。
しかも、ＬＥＤ２から発生する熱を放熱する専用の部材が不要であるから、小型で低価格とすることができる。
さらに、ＡＣ電源ラインに注入されたノイズをコンデンサで留めておくと共に、アルミベース基板１の表面と裏面との電位差がないので、ＡＣ電源ラインに注入されたノイズによってＬＥＤ２が誤点灯することがない。
【００１９】
本発明のＬＥＤ照明器具によれば、アルミベース基板１にＬＥＤ２と第１・第２コンデンサ１１，１２を設けたことによって、小型で持ち運びし易く、しかも任意の機器本体に簡単に取り付けできる。
【図面の簡単な説明】
【００２０】
【図１】本発明のＬＥＤ照明回路の実施の形態を示す回路図である。
【図２】本発明のＬＥＤ照明器具の実施の形態を示す平面図である。
【図３】図２のＡ−Ａ断面図である。
【図４】本発明のＬＥＤ照明器具の使用状態を示す断面図である。
【図５】導通手段の第２の実施の形態を示す断面図である。
【図６】導通手段の第３の実施の形態を示す断面図である。
【発明を実施するための形態】
【００２１】
図１に示すように、アルミベース基板１の表面にＬＥＤ２を設けてＬＥＤ照明部３とする。
前記アルミベース基板１の裏面を電気的に絶縁し、かつ熱が伝わるように、広い放熱面積を有する接地された機器本体、例えばレンジフードのフード本体に取り付けてある。例えば、絶縁放熱シート４を介して機器本体に接するように取り付けてある。
２本のＡＣ電源ライン５，６の一方を前述のＬＥＤ２の一端２ａに接続し、他方をＬＥＤ２の他端２ｂに接続する。
前記２本のＡＣ電源ライン５，６間には、バリスタ７、コンデンサ８が接続されている。
このバリスタ７とコンデンサ８でノーマルモード用のフィルタを構成し、前記２つのＡＣ電源ライン５，６に注入されたノイズをバリスタ７とコンデンサ８で減衰させる。
前記一方のＡＣ電源ライン５にはヒューズ９が設けられ、他方のＡＣ電源ライン６には抵抗１０が設けてある。
【００２２】
このようであるから、前記２本のＡＣ電源ライン５，６に設けた図示しないプラグを図示しないコンセントに差し込み、ＡＣ電源に接続すると共に、図示しないスイッチをＯＮすることでＬＥＤ２が点灯する。
前述のように，ＬＥＤ２が点灯しているときに、そのＬＥＤ２から発生した熱は、アルミベース基板１、絶縁放熱シート４を経て機器本体に伝熱し、その機器本体から放熱される。
これにより、ＬＥＤ２から発生する熱の放熱性能に優れる。
しかも、放熱のための専用の部材が不要であるから、小型で低価格とすることができる。
【００２３】
前記ＡＣ電源ライン５，６と接地されたＰＥ点との間にノイズが注入されることがある。
例えば、前述のスイッチがＯＦＦのときにＡＣ電源ライン５，６にノイズが注入されることがあり、その注入されたノイズ（漏えい電流）は、アルミベース基板１が機器本体と電気的に絶縁されていれば、アルミベース基板１から機器本体にノイズが流れることがなく、そのノイズの流れによってＬＥＤ２が誤点灯することがないが、アルミベース基板１と機器本体が電気的に絶縁されていなければ、ＬＥＤ２が誤点灯することがあった。
【００２４】
例えば、一方のＡＣ電源ライン５にスイッチを設け、プラグを、他方のＡＣ電源ライン６に１００Ｖが流れるようにコンセントに差し込んだ場合に、そのスイッチをＯＦＦとしても、前記他方のＡＣ電源ライン６はＡＣ電源に接続しているので、その他方のＡＣ電源ライン６に点線で示すようにノイズが注入されることがある。
他方のＡＣ電源ライン６にスイッチを設け、プラグを、一方のＡＣ電源ライン５に１００Ｖが流れるようにコンセントを差し込んだ場合に、そのスイッチをＯＦＦしても、一方のＡＣ電源ライン５はＡＣ電源に接続しているので、その一方のＡＣ電源ライン５に一点鎖線で示すようにノイズが注入されることがある。
【００２５】
前述のように、ＡＣ電源ライン５，６にノイズが注入されたときにＬＥＤ２が誤点灯する原因はノイズ（漏えい電流）がアルミベース基板１の表面から裏面に流れるためと推測できるが、次のようにすることで、ＬＥＤ２が誤点灯しないようになった。
すなわち、一方のＡＣ電源ライン５に第１コンデンサ１１の一端を接続すると共に、他方のＡＣ電源ライン６に第２コンデンサ１２の一端を接続し、この第１・第２コンデンサ１１，１２の他端を接続する接続ライン１３を、導通ライン１４でアルミベース基板１の裏面に電気的に接続する。
【００２６】
前述のようにすることで、ＬＥＤ２が誤点灯しないのは、次のようであると考えられる。
一方のＡＣ電源ライン５に実線で示すようにノイズが注入されると、そのノイズは第１・第２コンデンサ１１，１２で留めておくと共に、ａ点、ｂ点、ｃ点、ｄ点の電位差がなく、ＬＥＤ２の両端にノイズによる電圧降下が発生しないので（ノイズによる電流が流れないので）、ＬＥＤ２がノイズによる誤点灯することがない。
前述の説明で、電位差がないとは、ＬＥＤ２が誤点灯する大きさ以上の電位差（３０〜４０Ｖ以下の電位差）がないことである。
【００２７】
前述の電位差がないことを確認するために、一方のＡＣ電源ライン５に１００Ｖを印加した状態で、接地されているＰＥ点とａ点、ｂ点、ｃ点、ｄ点間の電位差を測定したところ、ａ点が１００Ｖ、ｃ点が９５Ｖ、ｂ点が９６Ｖ、ｄ点が９６Ｖで、電位差がないことが確認された。
同様に、他方のＡＣ電源ライン６に１００Ｖを印加した状態で、ＰＥ点とａ点、ｂ点、ｃ点、ｄ点間の電位差を測定したところａ点が９５Ｖ、ｃ点が９３Ｖ、ｂ点が１００Ｖ、ｄ点が１００Ｖで、電位差がないことが確認された。
【００２８】
前述の第１コンデンサ１１の一端を一方のＡＣ電源ライン５に接続する位置は、コンデンサ８が接続した点とＬＥＤ２に接続した点の間で、第２コンデンサ１２の一端を他方のＡＣ電源ライン６に接続する位置も同様である。
また、第１コンデンサ１１の他端、第２コンデンサ１２の他端を導通ライン１４でアルミベース基板１の裏面にそれぞれ電気的に接続しても良い。
前記第１コンデンサ１１と第２コンデンサ１２を同一の静電容量とすることで、ａ点とｂ点との間の電圧を二等分し、ａ点とｃ点との間の電圧と、ｂ点とｃ点との間の電圧が同じになるようにしてある。
【００２９】
次に、本発明のＬＥＤ照明器具の実施の形態を説明する。
図２に示すように、アルミベース基板１の表面に、ＬＥＤ２、バリスタ７、コンデンサ８、ヒューズ９、抵抗１０、第１コンデンサ１１、第２コンデンサ１２が設けてあると共に、第１端子１５（電圧側）と第２端子１６（０Ｖ側）が設けてある。
【００３０】
前記アルミベース基板１は図３に示すように、アルミベース（アルミの板）２０の表面に絶縁層２１を設け、その絶縁層２１の上に電源パターン２２を設けてある。
そして、電源パターン２２にパット２３を介して前述の部材を電気的に導通して設け、その電源パターン２２を絶縁コート（ソルダーレジスト）２４で被覆してある。
【００３１】
前記アルミベース２０の裏面に、電気絶縁性と熱伝導性に優れた部材、例えば絶縁放熱シート４が設けてある。
第１端子１５（電圧側）に一方のＡＣ電源ライン５が接続し、第２端子１６（０Ｖ側）に他方のＡＣ電源ライン６が接続する。
第１端子１５が第１の電源パターン２２ａでヒューズ９を経てＬＥＤ２の一端２ａに電気的に導通し、第２端子１６が第２の電源パターン２２ｂで抵抗１０を経てＬＥＤ２の他端２ｂに電気的に導通している。
前記第１の電源パターン２２ａと第２の電源パター２２ｂに跨ってバリスタ７、コンデンサ８が電気的に導通して設けられ、第１コンデンサ１１、第２コンデンサ１２の一端が第１・第２の電源パターン２２ａ，２２ｂに電気的に導通して設けてある。
前記アルミベース基板１の絶縁層２１におけるＬＥＤ２を取り付ける部分に、放熱用の部材、例えば銅プレート２ｃが設けてある。
この銅プレート２ｃにＬＥＤ２の裏面を接してＬＥＤ２をアルミベース基板１に取り付け、ＬＥＤ２から発生した熱をアルミベース２０に伝わり易くしている。
【００３２】
前記第１コンデンサ１１の他端と第２コンデンサ１２の他端を接続する第３の電源パターン２２ｃ（アルミベース基板１の表面）とアルミベース基板１の裏面であるアルミベース２０を導通手段３０で電気的に接続（導通）し、アルミベース基板１の表面側と裏面側との電位差がないようにしている。つまり、同電位としている。
これにより、前述したようにＡＣ電源ライン５，６にノイズが注入したときにＬＥＤ２が誤点灯することがない。
前記導通手段３０は、第３の電源パターン２２ｃ、絶縁層２１、アルミベース２０に孔３１，３２，３３を連通するように同芯状に形成し、各孔３１，３２，３３にボルト３４を挿通し、そのボルト３４にナット３５を螺合することで、第３の電源パターン２２ｃ、絶縁層２１、アルミベース２０をボルト、ナットで挟着支持するようにしてある。
【００３３】
前述のように、アルミベース基板１にＬＥＤ２、第１・第２コンデンサ１１，１２を設けたので、そのアルミベース基板１の第１・第２端子１５，１６にＡＣ電源ライン５，６を接続するだけでＬＥＤ２を点灯することができ、ＬＥＤ照明器具が小型で持ち運びし易く、しかも任意の機器本体に簡単に取り付けできる。
【００３４】
例えば、図４に示すように、アルミのランプケース４０の内面に絶縁放熱シート４を介してアルミベース基板１の裏面を接して取り付け、アルミベース基板１の透孔１ａから取付ねじ４１をランプケース４０に螺合して取り付ける。
そして、前記ランプケース４０をレンジフードのフード本体４２に固着して取り付ける。４３は透光性のカバーである。
つまり、ランプケース４０とフード本体４２が機器本体である。
前述のように取付ねじ４１でアルミベース基板１をランプケース４０に取り付けるときには、その取付ねじ４１によってアルミベース基板１とランプケース４０が電気的に導通しないようにしている。
例えば、アルミベース基板１の透孔１ａに、絶縁材によって作製した鍔付き筒状のスペーサ４４を挿通し、このスペーサ４４に取付ねじ４１を挿通することで、取付ねじ４１がアルミベース基板１に接触しないようにする。
【００３５】
前記導通手段３０は、図５に示すように、ねじ３６を孔３１，３２を通してアルミベース２０のねじ穴３７に螺合するようにしても良い。
また、導通手段３０は、図６に示すようにスルーホール３８としても良い。
また、導通手段３０は、図示しないリベットとしても良い。
つまり、導通手段３０は第３の電源パターン２２ｃとアルミベース２０を電気的に導通する構成であれば良い。
【符号の説明】
【００３６】
１…アルミベース基板、２…ＬＥＤ、３…ＬＥＤ照明部、４…絶縁放熱シート、５…一方のＡＣ電源ライン、６…他方のＡＣ電源ライン、７…バリスタ、８…コンデンサ、９…ヒューズ、１０…抵抗、１１…第１コンデンサ、１２…第２コンデンサ、１３…接続ライン、１４…導通ライン、１５…第１端子、１６…第２端子、２０…アルミベース、２１…絶縁層、２２…電源パターン。
【図１】
2012146406.tif 000003
【図２】
2012146406.tif 000004
【図３】
2012146406.tif 000005
【図４】
2012146406.tif 000006
【図５】
2012146406.tif 000007
【図６】
2012146406.tif 000008